(57)【特許請求の範囲】
【請求項１】
女性の局部に密着して経血を直接吸収する細長の吸収部を有し女性の局部から臀部まで達する長さの吸収体を下側に防水層を設けた広幅の吸収性を有する吸収保持体の上側に重ね、吸収体の一端部と吸収保持体の一端部を連結し、吸収体の他端部に皮膚に付着する付着部を設け、又吸収保持体の他端部に前記付着部と独立して肌着または皮膚に付着する付着部を設け、しかも、吸収体の吸収部と臀部側の付着部との間に伸縮性を有する伸縮部を設け、吸収体の他端部を吸収保持体と分離して局部から臀部にかけて密着して固定できるようにした生理用品。
【請求項２】
女性の局部に密着して経血を直接吸収する細長の吸収部を有し女性の局部から臀部まで達する長さの吸収体を下側に防水層を設けた広幅の吸収性を有する吸収保持体の上側に重ね、吸収体の両端部に皮膚に付着する付着部を設け、又吸収保持体の両端部に前記付着部と独立して肌着または皮膚に付着する付着部を設け、しかも、吸収体の吸収部と臀部側の付着部との間に伸縮性を有する伸縮部を設け、吸収体を吸収保持体と分離して局部から臀部にかけて密着して固定できるようにした生理用品。
【請求項３】
吸収体を伸縮性を有する連結部材により吸収保持体と連結した請求項２記載の生理用品。
【請求項４】
吸収体の吸収部と付着部との間に経血の流れを止める遮水部を設けた請求項１〜３いずれか記載の生理用品。
【請求項５】
吸収保持体の長手両側部を上方に盛り上げて断面凹状に形成し、吸収体の横ずれを防止できるようにした請求項１〜４いずれか記載の生理用品。
【請求項６】
吸収体および吸収保持体の端部を広幅かつ薄型に形成した請求項１〜５いずれか記載の生理用品。
【発明の詳細な説明】
【０００１】
【発明の属する技術分野】
本発明は、着用者の動きにかかわらず密着性が良好で漏れ防止性に優れた生理用品に関する。
【０００２】
【従来の技術】
従来の生理用品においては、平面状や断面凸状の吸収性シートを局部に押し当てて経血の流れを受け止めるものが主流である。これらのものは、着用者が動くと吸収性シートと局部の間に隙間を生じて漏れやすいという問題点があった。
そこで、この問題点を解決しようとした生理用品が特開平１１−１０４１６８号公報に開示されている（図７参照）。この生理用品２１は、吸収性シートを上層シート２２と下層シート２３に分離し、上層シート２２の両端部を弾性材２４で下層シート２３に固着して下層シート２３から離隔できるようにしたものである。この構成により、上層シート２２を局部に密着して着用した後、着用者が動いても弾性材２４により上層シート２２が局部に追従するので漏れが少ないというものである。
しかしながら、上層シート２２の両端部が下層シート２３に固着されていることにより動きに追従できる範囲が弾性材２４の長さと伸縮量に限定されるから、着用者の大きな動きにより下層シート２３が移動し、上層シート２２も下層シート２３に引きずられて動くため、上層シート２２が局部からずれやすく満足のいくものではなかった。
【０００３】
【発明が解決しようとする課題】
本発明が解決しようとする課題は、これらの問題点を解決し、着用者の動きにかかわらず密着性が良好で漏れ防止性に優れた生理用品を提供することにある。
【０００４】
【課題を解決するための手段】
かかる課題を解決した本発明の構成は、
１）  女性の局部に密着して経血を直接吸収する細長の吸収部を有し女性の局部から臀部まで達する長さの吸収体を下側に防水層を設けた広幅の吸収性を有する吸収保持体の上側に重ね、吸収体の一端部と吸収保持体の一端部を連結し、吸収体の他端部に皮膚に付着する付着部を設け、又吸収保持体の他端部に前記付着部と独立して肌着または皮膚に付着する付着部を設け、しかも、吸収体の吸収部と臀部側の付着部との間に伸縮性を有する伸縮部を設け、吸収体の他端部を吸収保持体と分離して局部から臀部にかけて密着して固定できるようにした生理用品
２）  女性の局部に密着して経血を直接吸収する細長の吸収部を有し女性の局部から臀部まで達する長さの吸収体を下側に防水層を設けた広幅の吸収性を有する吸収保持体の上側に重ね、吸収体の両端部に皮膚に付着する付着部を設け、又吸収保持体の両端部に前記付着部と独立して肌着または皮膚に付着する付着部を設け、しかも、吸収体の吸収部と臀部側の付着部との間に伸縮性を有する伸縮部を設け、吸収体を吸収保持体と分離して局部から臀部にかけて密着して固定できるようにした生理用品
３）  吸収体を伸縮性を有する連結部材により吸収保持体と連結した前記２）記載の生理用品
４）  吸収体の吸収部と付着部との間に経血の流れを止める遮水部を設けた前記１）〜３）いずれか記載の生理用品
５）  吸収保持体の長手両側部を上方に盛り上げて断面凹状に形成し、吸収体の横ずれを防止できるようにした前記１）〜４）いずれか記載の生理用品
６）  吸収体および吸収保持体の端部を広幅かつ薄型に形成した前記１）〜５）いずれか記載の生理用品
にある。
なお、本発明明細書の局部とは女性の性器のことである。
【０００５】
【作用】
本発明の生理用品では、吸収体を局部に密着し、吸収体の臀部側を臀部の間に沿って密着するように挟み込んだ状態で、付着部を皮膚に付着して固定する。吸収保持体は付着部を肌着または皮膚に付着して着用する。局部から経血が流れ出ると経血は吸収体に吸収され、吸収体内の経血が飽和量を超えると経血は吸収体と吸収保持体の接触している部分を通じて吸収保持体に移動して保持される。
着用者の動きにより吸収保持体が移動しても、吸収体は吸収保持体とは独立して臀部の間に挟み込まれた状態で肌着または皮膚に固定されているため、吸収体は常に局部に密着し、吸収体と局部の間に隙間が生じ難く漏れが少ない。
吸収体を伸縮性を有する連結部材により吸収保持体と連結したものは、着用者の大きな動きに対しては吸収体と吸収保持体が離れすぎることにより経血の吸収性が低下するが、連結部材により吸収体に吸収保持体をある程度引き寄せて接触を確実にし、吸収保持体に経血を吸収させる。
吸収体の吸収部と臀部側の付着部との間に伸縮性を有する伸縮部を設けたことにより、着用者の動きや吸収体の固定不良により吸収体にたるみが生じても、伸縮部により常に緊張状態に保持される。
吸収体の吸収部と付着部との間に遮水部を設けたものは、吸収体に吸収された経血が肌着や皮膚の表面に流れ出ないようにして衛生に保つ。
吸収保持体の長手両側部を上方に盛り上げて断面凹状に形成したものは、着用した際、太股により盛り上がった部分が吸収体を押圧し、吸収体が横にずれるのを防止して、漏れを少なくするとともに、断面積を大きくすることにより経血の吸収容量を向上させる。
吸収体および吸収保持体の端部を広幅かつ薄型に形成したものは、経血の吸収容量を確保しつつ薄型化し、肌着に吸収体および吸収保持体の型が浮き出難くする。
【０００６】
【発明の実施の形態】
吸収体と吸収保持体は、高分子吸収体、脱脂綿、繊維やパルプを多層にしたものなどがあり、吸収性の高いものが好ましい。
防水層は、吸収した経血が肌着や皮膚に染み出ないようにするためのもので、合成樹脂など非透水性のものが好ましい。
付着部は、粘着テープや粘着剤を塗布したもの、ファスナなどがあり、肌着または皮膚から容易に外れない程度の付着力で十分である。
伸縮部材は、網状の伸縮ネットやゴムなど伸縮性を示すものが用いられる。
遮水部は、吸収した経血が肌着や皮膚に流れ出ないようにするためのもので、防水層と同様に合成樹脂など非透水性のものが用いられる。
本発明の生理用品は、女性用の生理用ナプキンとして使用するだけでなく、失禁用として身につけて尿を吸収するようにした尿パッドとしても使用することができる。
【０００７】
【実施例】
本発明の各実施例について図面を参照して具体的に説明する。
実施例１（図１〜３参照）
図１〜３に示す実施例１は、吸収体の一端部と吸収保持体の一端部を連結し、吸収体の他端部に皮膚に付着する付着部を設け、吸収体の吸収部と付着部の間に伸縮性を有する伸縮部を設け、吸収体の吸収部と伸縮部の間に遮水部を設け、吸収保持体の長手両側端を上方に盛り上げて断面凹状に形成し、吸収保持体の下側に肌着に付着する付着部を設けた生理用品の例である。
図１は実施例１の生理用品の斜視図である。
図２は図１のＡ−Ａ断面図である。
図３は実施例１の生理用品の着用状態を示す説明図である。
図中、１は生理用品、２は断面が略三角形状の高分子吸収体からなる吸収層２ｂの表面に吸収層２ｂを保護する吸収性を有する不織布からなる保護層２ｃで被覆して局部と密着される吸収部２ａを構成し、全体を局部から臀部まで達するおよそ４５ｃｍの長さに形成した吸収体、３は長手両側部を上方に盛り上げて盛り上がり部３ｃを形成した断面凹状の高分子吸収体からなる吸収保持層３ａの下側に非透水性の合成樹脂フィルムからなる防水層３ｂを設け、全体をおよそ長さ４０ｃｍ、幅７〜１０ｃｍに形成した吸収保持体、４は粘着剤を塗布した付着部、５は伸縮ネットからなる伸縮部、６は非透水性の合成樹脂からなる遮水部、７は吸収体２の一端部を吸収保持体の一端部に縫合した縫合部、８は粘着剤を塗布した付着部、９は肌着である。
【０００８】
実施例１の使用方法を説明すると、吸収体２の吸収部２ａを局部に密着し、吸収体２の他端部を臀部の間に沿って密着するように挟み込んだ状態で付着部４を皮膚に付着して固定する。吸収保持体３はその下側の前後に設けた付着部８を肌着９の下腹部および臀部にそれぞれ付着して着用する。
局部から経血が流れ出ると、経血は吸収体２の保護層２ｃから吸収層２ｂ全域に吸収される。吸収体２の吸収部２ａに吸収された経血は吸収部２ａの飽和量を超えると、吸収層２ｂから吸収体２と吸収保持体３と接している部分を通じて吸収保持体３の吸収保持層３ａに移動する。吸収保持体３に吸収された経血は、図２に示すように盛り上がり部３ｃの方向に移動し、盛り上がり部３ｃ内に吸収されて保持される。
着用後に着用者が動いても、吸収体２の他端部は吸収保持体３とは独立して皮膚に固定されているから（図３（ｂ）参照）、吸収体２は局部と常に密着しており吸収体２と局部の間に隙間が生じ難く、経血の漏れが少ない。
吸収体２の吸収部と付着部５の間に伸縮部５を設けたことにより、着用者の動きや吸収体２の固定不良により吸収体２にたるみが生じても、伸縮部５により常に緊張状態を保持し、吸収体２を局部に密着させる。
吸収体２の吸収部２ａと伸縮部４の間に遮水部６を設けたことにより、吸収体２に吸収された経血が他端部に流れ出るのを防止し、肌着９や皮膚が衛生に保たれる。
吸収保持体３の盛り上がり部３ｃが太股により吸収体２を押圧し、吸収体２の横ずれを防止して漏れを少なくするとともに、吸収保持体３の断面積が大きくなるので経血の吸収容量を向上でき、経血の多い日でも長時間に渡って着用できる。
【０００９】
他の形態例（図４〜６参照）
図４〜６に示した他の形態例は、吸収体の中央部を伸縮性を有する連結部材で吸収保持体の上側に連結し、吸収体の両端部に皮膚に付着する付着部を設け、吸収体の吸収部と付着部の間に遮水部を設け、吸収保持体の長手両側部を上方に盛り上げて断面凹状に形成し、吸収保持体の下側に肌着に付着する付着部を設け、吸収体および吸収保持体の両端部を広幅かつ薄型に形成した生理用品の例である。
図４は他の形態例の生理用品の斜視図である。
図５は図４のＡ−Ａ断面図である。
図６は他の形態例の着用状態を示す説明図である。
図中、１１は生理用品、１２は断面が略三角形状の高分子吸収体からなる吸収層１２ｂの表面に吸収層１２ｂを保護する吸収性を有する不織布からなる保護層１２ｃで被覆して局部と密着する吸収部１２ａを構成し、全体を局部から臀部まで達するおよそ４５ｃｍの長さに形成し、両端部を広幅かつ薄型に形成した吸収体、１３は長手両側部を上方に盛り上げて盛り上がり部１３ｃを形成した断面凹状の高分子吸収体からなる吸収保持層１３ａの下側に非透水性の合成樹脂フィルムからなる防水層１３ｂを設け、全体をおよそ長さ４０ｃｍ、幅７〜１０ｃｍに形成し、両端部を広幅かつ薄型に形成した吸収保持体、１４は粘着剤を塗布した付着部、１５は伸縮ネットからなる連結部材、１６は非透水性の合成樹脂からなる遮水部、１７は連結部材１５を吸収保持体１３に縫合した縫合部、１８は粘着剤を塗布した付着部、１９は肌着である。
【００１０】
他の形態例の使用方法を説明すると、吸収体１２の吸収部１２ａを局部に密着し、吸収体１２の臀部側を臀部の間に沿って密着するように挟み込んだ状態で付着部１４を皮膚に付着して固定する。吸収体１２の腹部側は局部から下腹部に沿って密着させて付着部１４を皮膚に付着して固定する。吸収保持体１３はその下側の前後に設けた付着部１８を肌着１９の下腹部および臀部にそれぞれ付着して着用する。
局部から経血が流れ出ると、経血は吸収体１２の保護層１２ｃから吸収層１２ｂ全域に吸収される。吸収体１２の吸収部１２ａに吸収された経血は吸収部１２ａの飽和量を超えると、吸収層１２ｂから吸収体１２と吸収保持体１３と接している部分を通じて吸収保持体１３の吸収保持層１３ａに移動する。吸収保持体１３に吸収された経血は、図５に示すように盛り上がり部１３ｃの方向に移動し、盛り上がり部１３ｃ内に吸収されて保持される。
着用後に着用者が動いても、吸収体１２の両端部は吸収保持体１３とは独立して皮膚に固定されているから（図６（ｂ）参照）、吸収体１２は局部と常に密着しており吸収体２と局部の間に隙間が生じ難く経血の漏れが少ない。
吸収体１２の中央部を吸収保持体１３と伸縮性を有する連結部材１５で連結したことにより、着用者の大きな動きに対しては吸収体１２に吸収保持体１３が離れすぎて経血の吸収性が低下するが、連結部材１５により吸収体１２と吸収保持体１３をある程度引き寄せて接触を確実にし、吸収保持体１３に経血を吸収させる。
吸収体１２の吸収部１２ａと付着部１４の間に遮水部１６を設けたことにより、吸収体１２に吸収された経血が両端部に流れ出るのを防止し、肌着１９や皮膚が衛生に保たれる。
吸収保持体１３の盛り上がり部１３ｃが太股により吸収体１２を押圧し、吸収体１２の横ずれを防止して漏れを少なくするとともに、吸収保持体１３の断面積が大きくなるので経血の吸収容量を向上でき、経血の多い日でも長時間に渡って着用できる。
吸収体１２および吸収保持体１３の前後端に広幅かつ薄型に形成した広幅部１２ｄ，１３ｄを設けたことにより、肌着１９に型が浮き出難くなるとともに、薄型化した分広幅にしているので経血の吸収容量が低下することがない。
【００１１】
【発明の効果】
本発明によれば、吸収体の臀部側あるいは両端部が吸収保持体とは独立して皮膚に固定するようにしているので、着用者が動いても吸収体は局部に常に密着させることができ、どのような動きに対しても吸収体と局部の間に隙間を生じ難く経血の漏れが少ない。
吸収体を伸縮性を有する連結部材により吸収保持体と連結したものは、着用者の大きな動きに対しても連結部材により吸収体と吸収保持体をある程度引き寄せて接触を確実にし、吸収保持体に経血を吸収させることができる。
吸収体の吸収部と臀部側の付着部の間に伸縮性を有する伸縮部を設けたことによって、着用者の動きや吸収体の固定不良により吸収体にたるみが生じても、伸縮部により常に緊張状態を保持し、吸収体を局部に密着させることができる。
吸収体の吸収部と付着部の途中に遮水部を設けたものは、経血が外部へ流れ出ないようにして肌着や皮膚を衛生に保つことができる。
吸収保持体の長手両側部を内側に盛り上げて盛り上がり部を形成したものは、太股により盛り上がり部が吸収体を押し上げて局部に密着させ、吸収体を横ずれを防止することができる。また、吸収保持体の断面積が増えることにより経血の吸収容量を向上でき、経血の多い日の長時間の使用に十分耐えうる。
吸収体および吸収保持体の前後端を広幅かつ薄型に形成したものは、肌着に形が浮き出難くなるとともに、薄型化した分広幅にしているので経血の吸収容量が低下することがない。
【図面の簡単な説明】
【図１】  実施例１の生理用品の斜視図である。
【図２】  図１のＡ−Ａ断面図である。
【図３】  実施例１の生理用品の着用状態を示す説明図である。
【図４】  他の形態例の生理用品の斜視図である。
【図５】  図４のＡ−Ａ断面図である。
【図６】  他の形態例の生理用品の着用状態を示す説明図である。
【図７】  従来の生理用品の斜視図である。
【符号の説明】
１  生理用品
２  吸収体
２ａ  吸収部
２ｂ  吸収層
２ｃ  保護層
３  吸収保持体
３ａ  吸収保持層
３ｂ  防水層
３ｃ  盛り上がり部
４  付着部
５  伸縮部
６  遮水部
７  縫合部
８  付着部
９  肌着
１１  生理用品
１２  吸収体
１２ａ  吸収部
１２ｂ  吸収層
１２ｃ  保護層
１２ｄ  広幅部
１３  吸収保持体
１３ａ  吸収保持層
１３ｂ  防水層
１３ｃ  盛り上がり部
１３ｄ  広幅部
１４  付着部
１５  連結部材
１６  遮水部
１７  縫合部
１８  付着部
１９  肌着
２１  生理用品
２２  上層シート
２３  下層シート
２４  弾性材
【図１】
0003689326.tif 000002
【図２】
0003689326.tif 000003
【図３】
0003689326.tif 000004
【図４】
0003689326.tif 000005
【図５】
0003689326.tif 000006
【図６】
0003689326.tif 000007
【図７】
0003689326.tif 000008